(57)【特許請求の範囲】
【請求項１】
リニアセンサカメラにゴールライン等の判定基準線上を通過する移動体の像を映像信号として取得し、該映像信号を画像データとして画像記憶手段に記憶し、該画像記憶手段により記憶した画像データから移動体を含む必要な画像データを選択し、該選択された画像データを表示装置に表示すると共に、文字発生器から上記表示装置に表示する移動体の着順およびタイム判定に必要な文字情報を選択し、選択した文字を該当する移動体の近傍に表示するように上記情報記憶手段に記憶し、上記情報記憶手段から文字情報を読み出し、上記画像記憶手段に記憶した画像データの所定の移動体の位置に移動体の着順およびタイム判定に必要な文字情報を重畳させ、かつ該文字情報を時系列的に移動する移動体に関連付けた位置で確定し、上記移動体と上記文字情報を関連付けて表示することを特徴とする着順およびタイム判定方法。
【発明の詳細な説明】
【０００１】
【発明の属する技術分野】
本発明は競艇、競馬、競輪、陸上競技等における着順およびタイム判定装置に関するものである。
【０００２】
【従来の技術】
従来の技術については、例えば特公昭５５−２４８３１号公報に「判定装置」として開示されている技術をはじめ、その改良技術として特開平３−１３９３７４号公報「電子式即時判定装置」等がある。これらは、ゴールライン等の判定基準線を通過する物体をこの基準線に合わせて撮影するリニアセンサカメラを用い、このリニアセンサカメラの出力を走査変換機能を有する画像記録部に入力し、着順判定に必要な時間情報等と共に記録し、リニアセンサカメラの一次元の映像信号を二次元の映像信号に走査変換して着順判定に必要な時間情報等と共に記録部より読み出し、ビデオモニタに出力し、判定に必要な画像を表示するものである。そして審判等の判定員が記録された判定画像上で着順及びタイムの判定を行う。
【０００３】
着順およびタイム判定装置を使用するものとしては、競艇、競馬、競輪、陸上競技等があり、ボート、馬、自転車、走者等の移動体がゴールライン等の判定基準線上を通過し、着順判定画像として記録されるが、個々の移動体がすべて正常にゴールしたとは限らず、フライング、周回遅れ、失格等の移動体も記録される場合がある。この場合、従来の着順およびタイム判定装置は、画像上に着順判定に必要な時間情報および固定された場所への競技名等の表示しか行なっていなかった。
【０００４】
【発明が解決しようとする課題】
上述の従来技術では、判定を行う画像上の移動体にその情報を表示および記録が出来ないため、審判等の判定員が着順およびタイム判定を行う画面上にはフライング、周回遅れ、失格等の情報が無く、判定時に誤解する可能性がある。本発明は、コメント、記号等の文字情報を画像上に重畳して記録、表示させることにより、上記問題を解決し、個々の移動体の状況を画像上で確認しながら判定出来るようにすることを目的とする。
【０００５】
【課題を解決するための手段】
本発明の着順およびタイム判定方法は、リニアセンサカメラにゴールライン等の判定基準線上を通過する移動体の像を映像信号として取得し、該映像信号を画像データとして画像記憶手段に記憶し、該画像記憶手段により記憶した画像データから移動体を含む必要な画像データを選択し、該選択された画像データを表示装置に表示すると共に、文字発生器から上記表示装置に表示する移動体の着順およびタイム判定に必要な文字情報を選択し、選択した文字を該当する移動体の近傍に表示するように上記情報記憶手段に記憶し、上記情報記憶手段から文字情報を読み出し、上記画像記憶手段に記憶した画像データの所定の移動体の位置に移動体の着順およびタイム判定に必要な文字情報を重畳させ、かつ該文字情報を時系列的に移動する移動体に関連付けた位置で確定し、上記移動体と上記文字情報を関連付けて表示するように構成される。
【０００６】
【発明の実施の形態】
本発明の着順およびタイム判定装置は、リニアセンサカメラと画像記録部とビデオモニタと文字情報入力手段を持つ操作器とを有する着順およびタイム判定装置であり、判定基準線上を通過した移動体はリニアセンサカメラで撮影され、該リニアセンサカメラの出力映像信号はＡ／Ｄ変換回路に入り、ディジタルの画像データに変換される。画像記録部のメモリ部は、主に画像データを記録する画像メモリと、時間情報及び文字情報等を記録する情報メモリで構成される。変換された画像データは、記録部の画像メモリに書き込まれ、それと同時に時間情報と競技名等の固定位置に書き込まれる文字情報は、情報メモリに書き込まれる。
【０００７】
記憶された画像メモリと情報メモリのデータを重畳し、その画像データを走査変換して読み出し、ビデオモニタに表示し、判定画像とするが、この表示されている画像のメモリ内の情報メモリ上に文字情報を入力する手段を有する操作器を使用し、情報メモリ上の任意の位置にコメント、記号等の文字情報を入力、重畳させることにより、ビデオモニタ上に表示する。
【０００８】
本発明による着順およびタイム判定装置の一実施例を図１〜図３により説明する。まず、基本的原理について図１、図２を使用し説明をする。
【０００９】
図１は、本発明の一実施例を示すブロック図である。図１に示す着順およびタイム判定装置において、３はリニアセンサカメラ、５は画像記録部、１９は操作器、２０は文字入力用操作器、１４はビデオモニタ、１５は画像ファイリング装置、１６はビデオプリンタを示し、１はゴールライン等の判定基準線、２は判定基準線１上を通過する移動体例えば走者を示している。
【００１０】
画像記録部５をさらに詳しく説明すると、６はリニアセンサカメラ３から出力された映像信号をディジタル信号化するＡ／Ｄ変換回路、７はＡ／Ｄ変換回路６からのディジタル映像信号をメモリに記憶させる書き込み回路、８はディジタル映像信号やディジタル情報信号を記憶するメモリ部、９はメモリ部８に記憶したディジタル映像信号やディジタル情報信号を走査変換して読み出す読み出し回路、１０はタイム発生器、１１はメモリ部８の書き込みおよび読み出しを制御するアドレス制御部、１２は文字発生器、１３は中央処理装置（以下、ＣＰＵと記す。）である。
【００１１】
被写体である判定基準線１上を通過する移動体２をレンズ４を使用してリニアセンサカメラ３により撮像し、一次元の映像信号を得る。
【００１２】
リニアセンサカメラ３の映像信号は画像記録部５へ出力され、映像信号がＡ／Ｄ変換回路６によりディジタル映像信号に変換され、書き込み回路７を経由して、メモリ部８へ書き込まれ記憶される。
【００１３】
メモリ部８は、リニアセンサカメラ３からのディジタル映像データを記憶すると同時に、例えばスタートからの経過時刻を画像に重畳表示するためのタイム発生器１０と競技名等の文字や記号、判定線を画像に重畳するための文字発生器１２からのディジタル情報データとが記憶される。
【００１４】
読み出し回路９は、メモリ部８に記憶されているディジタル映像データやディジタル情報データの中から着順およびタイムの判定に必要な部分を二次元の映像信号と情報信号として読み出し、テレビジョン信号に走査変換してビデオモニタ１４へ出力する。
【００１５】
ビデオモニタ１４は、読み出し回路９から入力された二次元の映像信号と情報信号とから着順およびタイムの判定に必要な画像を表示する。また、必要に応じて画像ファイリング装置１５に記録、保存し、また、ビデオプリンタ１６にその画像をプリントすることも行える。
【００１６】
上記書き込み回路７、メモリ部８、読み出し回路９等は、アドレス制御部１１の制御信号により、書き込み、読み出しの制御が行われる。また、操作器１９からの、映像信号や情報信号等の信号の記録および読み出しの手段の選択による各種制御を含め、装置全体はＣＰＵ１３に管理される。なお、外部供給信号として基準タイマスタート信号１７、メモリ取り込み信号１８等がある。
【００１７】
ここで、メモリ部８を主体とした画像記録部５におけるリニアセンサカメラ３が撮像した映像信号の記憶についての概念を図２を使用して説明する。
【００１８】
操作器１９からの選択信号により、図２に示すようにメモリ部８の中の画像メモリ８Ａおよび情報メモリ８Ｂは全て１映像信号入力に対応するように制御され、判定基準線１上を通過する移動体２のディジタル映像信号が、タイム発生器１０のタイマスタート信号１７によるスタートからの経過時間と文字発生器１２の例えば競技の種目やタイトル等のディジタル情報データと共に、メモリ端より順次時系列的に記憶される。
【００１９】
記憶される競技の種目やタイトル等の文字入力は、操作器１９からの選択信号により設定された文字列を情報メモリ８Ｂ上の固定の位置（ここでは画面下部）に記憶させるものであり、任意の位置に表示させる機能は持ち合わせていない。
【００２０】
記憶されたディジタル映像データの内、判定に必要な画像２１に相当するディジタル映像データと関連するディジタル情報データが読み出し回路９へ読み出され、走査変換された映像信号の画像がビデオモニタ１４に表示される。
【００２１】
なお、メモリ部８に順次時系列的に記憶されるディジタル映像データは、リニアセンサカメラ３からの一次元のディジタル映像信号であるので、図２に示す画像２１は、複数本の一次元のディジタル映像データを通常の二次元のテレビジョン方式の画像に走査変換した状態で示している。
【００２２】
競技、レース時等は、上記概念により記憶、表示されたディジタル映像信号およびディジタル情報信号の画像により、審判等の判定員が着順およびタイムの判定を行うが、画像上に記録された走者等の移動体２全てが正常にゴール等の判定基準線１上を通過したとは限らず、フライング、周回遅れ、失格等の移動体も同時に記憶される場合がある。フライング、周回遅れ、失格等の情報は、外部情報により、または判定員自身が判断するが、これらの情報を文字情報として同一画像上に重畳、表示する機能を追加することにより判定員に明確にわかるようにする。
【００２３】
本発明の主旨である文字情報の入力概念について図３を使用して説明する。メモリ部８に記憶された走者等の移動体２の画像については、判定員等により、フライング、周回遅れ、失格等と判断された場合、例えば移動体２Ａ、２Ｂ、２Ｃのうち２Ｂが失格となった場合、操作器１９からの選択信号により、文字発生器１２から「失格」の文字列が選択され、文字入力状態となり、画像上に文字入力用字枠２２のカーソルが表示される。マウス等の文字情報入力用操作器２０からの選択信号により、画像上の文字入力用字枠２２の文字の表示位置を移動体２Ｂの位置２３に移動させ、文字情報入力用操作器２０からの選択信号により、位置を確定することにより、「失格」の文字列はディジタル情報データとして情報メモリ８Ｂ上の表示されている場所に記憶される。
【００２４】
記憶されたディジタル情報データは、操作器１９からの選択信号により、判定に必要な画像２１に相当するディジタル映像データと関連するディジタル情報データが重畳され、読み出し回路９へ読み出され、走査変換された映像信号の画像がビデオモニタ１４に表示される。
【００２５】
入力する文字は、操作器１９からの選択信号により、文字発生器１２内で文字列として選択および複数個の登録が行え、そこから選択、表示がされる。選択された文字情報は、上記手法により、情報メモリ８Ｂ上の文字情報入力用操作器２０から指定した任意の位置に複数個記憶させることができる。
【００２６】
文字情報入力用操作器２０の位置指定機能を操作器１９に組み込むことにより、操作器１９からの操作で位置を指定することもできる。また、記憶されたメモリ部８のディジタル映像データおよびディジタル情報データは、操作器１９からの選択信号により、読み出し回路９へ読み出され、画像ファイリング装置１５にディジタルデータとして記録、保存することができる。
【００２７】
【発明の効果】
本発明は、着順およびタイム判定装置の判定画面上に個々の移動体に関するコメント、記号等の文字情報を画像上に重畳させ記録、表示させることにより、個々の移動体の状況を画像上で確認しながら判定出来るようにすることより、誤判定等が少なくなると共に同一画像上に情報として記録しておける。再度、再生した場合でもその情報が表示されるため判定が容易となる。
【図面の簡単な説明】
【図１】本発明の一実施例を示すブロック図である。
【図２】本発明の一実施例による画像メモリ動作の概念図である。
【図３】本発明の一実施例による文字情報入力の概念図である。
【符号の説明】
１：判定基準線、２、２Ａ、２Ｂ、２Ｃ：移動体、３：リニアセンサカメラ、４：レンズ、５：画像記録部、６：Ａ／Ｄ変換器、７：書き込み回路、８：メモリ部、９：読み出し回路、１０：タイム発生器、１１：アドレス制御部、１２：文字発生器、１３：中央処理装置、１４：ビデオモニタ、１５：画像ファイリング装置、１６：ビデオプリンタ、１７：基準タイマスタート信号、１８：メモリ取り込み信号、１９：操作器、２０：文字情報入力用操作器、２１：判定に必要な画像、２２：文字入力字枠、２３：文字の表示位置。
【図１】
0003677504.tif 000002
【図２】
0003677504.tif 000003
【図３】
0003677504.tif 000004